(57)【要約】  【課題】ノート全体をかさ高いものとすることなく、付箋保持部等の機能部を備えたノートを実現する。  【解決手段】基本台紙１と、この基本台紙１の一辺１ａに綴じ元を近接させて当該基本台紙１上に配され前記一辺１ａよりも外側に展開可能な複数枚の用紙２とを具備してなるノートＮにおいて、前記基本台紙１の他辺１ｂに連設され前記用紙２上に重なり合う閉じ姿勢から前記他辺１ｂよりも外側に展開する開き姿勢（Ｏ）との間で開閉可能な延出台紙３と、この延出台紙３に設けられその内面に未使用の付箋Ｆ１、Ｆ２が保持された付箋保持部４とをさらに具備させる。【選択図】図２
2019089248.tif 000002
【特許請求の範囲】
【請求項１】
基本台紙と、この基本台紙の一辺に綴じ元を近接させて当該基本台紙上に配され前記一辺よりも外側に展開可能な複数枚の用紙と、前記基本台紙の他辺に連設され前記用紙上に重なり合う閉じ姿勢から前記他辺よりも外側に展開する開き姿勢との間で開閉可能な延出台紙と、この延出台紙に設けられその内面に未使用の付箋が保持された付箋保持部とを具備してなるノート。
【請求項２】
前記基本台紙が用紙の裏面を覆う裏表紙を兼ねたものであり、前記延出台紙の全部または一部が用紙の表面を覆う表表紙を兼ねたものである請求項１記載のノート。
【請求項３】
前記延出台紙が、前記基本台紙の一辺に折り線を介して連続する背表紙と、この背表紙に折り線を介して連続する表表紙とを備えたものである請求項２記載のノート。
【請求項４】
用紙が付箋を貼り付けるべき領域を示唆する罫線を有するものであり、前記付箋保持部が前記罫線により示唆された領域に対応した位置に未使用の付箋を保持したものである請求項１、２又は３記載のノート。
【請求項５】
基本台紙と、この基本台紙の一辺に綴じ元を近接させて当該基本台紙上に配され前記一辺よりも外側に展開可能な複数枚の用紙と、前記基本台紙の前記一辺に隣接する他辺に連設され前記用紙上に重なり合う閉じ姿勢から前記他辺よりも外側に展開する開き姿勢との間で開閉可能な延出台紙と、この延出台紙に設けられ用紙を覆う機能以外の機能を有する機能部とを具備してなるノート。
【請求項６】
前記基本台紙が矩形状である請求項１、２、３、４又は５記載のノート。
【発明の詳細な説明】
【技術分野】
【０００１】
本発明は、未使用の付箋が保持された付箋保持部等の機能部を備えたノートに関する。
【背景技術】
【０００２】
従来、この種のノートとして、裏表紙と、この裏表紙の一辺に綴じ元を近接させて当該裏表紙のメイン領域上に配され前記一辺よりも外側に展開可能な複数枚の用紙と、前記裏表紙の一辺に接続され前記用紙上に重なり合う閉じ姿勢から前記一辺よりも外側に展開する開き姿勢との間で開閉可能な表表紙とを備えているものが知られている。そして、このようなノートにおいては、前記裏表紙に、前記用紙に対応する前述したメイン領域だけでなく、未使用の付箋が保持された付箋保持部が設けられている（例えば、特許文献１を参照）。
【０００３】
このようなノートにおいては、前記裏表紙が付箋保持部の存在によりメイン領域のみを備えた通常のノートの裏表紙よりも大きくならざるを得ない。その結果、表表紙も大型化し、ノート全体がかさ高いものになる。
【０００４】
このような不具合は、未使用の付箋を保持するための付箋保持部を設ける場合のみならず、他の機能を備えた機能部を付加する場合にも同様に発生することが懸念される。
【先行技術文献】
【特許文献】
【０００５】
【特許文献１】特開２０１６−４９７４０号公報
【発明の概要】
【発明が解決しようとする課題】
【０００６】
本発明は、以上の点に着目し、ノート全体をかさ高いものとすることなく、付箋保持部等の機能部を備えたノートを実現することを目的とする。
【課題を解決するための手段】
【０００７】
請求項１記載の発明に係るノートは、基本台紙と、この基本台紙の一辺に綴じ元を近接させて当該基本台紙上に配され前記一辺よりも外側に展開可能な複数枚の用紙と、前記基本台紙の他辺に連設され前記用紙上に重なり合う閉じ姿勢から前記他辺よりも外側に展開する開き姿勢との間で開閉可能な延出台紙と、この延出台紙に設けられその内面に未使用の付箋が保持された付箋保持部とを具備してなるものである。
【０００８】
請求項２記載の発明に係るノートは、請求項１記載の構成のものにおいて、前記基本台紙が用紙の裏面を覆う裏表紙を兼ねたものであり、前記延出台紙の全部または一部が用紙の表面を覆う表表紙を兼ねたものである。
【０００９】
請求項３記載の発明に係るノートは、請求項２記載の構成のものにおいて、前記延出台紙が、前記基本台紙の一辺に折り線を介して連続する背表紙と、この背表紙に折り線を介して連続する表表紙とを備えたものである。
【００１０】
請求項４記載の発明に係るノートは、請求項１、２又は３記載の構成のものにおいて、用紙が付箋を貼り付けるべき領域を示唆する罫線を有するものであり、前記付箋保持部が前記罫線により示唆された領域に対応した位置に未使用の付箋を保持したものである。
【００１１】
請求項５記載の発明に係るノートは、基本台紙と、この基本台紙の一辺に綴じ元を近接させて当該基本台紙上に配され前記一辺よりも外側に展開可能な複数枚の用紙と、前記基本台紙の前記一辺に隣接する他辺に連設され前記用紙上に重なり合う閉じ姿勢から前記他辺よりも外側に展開する開き姿勢との間で開閉可能な延出台紙と、この延出台紙に設けられ用紙を覆う機能以外の機能を有する機能部とを具備してなるものである。
【００１２】
請求項６記載の発明に係るノートは、請求項１、２、３、４又は５記載の構成のものにおいて、前記基本台紙が矩形状である。
【発明の効果】
【００１３】
本発明によれば、ノート全体をかさ高いものとすることなく、付箋保持部等の機能部を備えたノートを実現することができる。
【図面の簡単な説明】
【００１４】
【図１】本発明の一実施形態に係るノートの閉じ姿勢を示す斜視図。
【図２】同実施形態に係るノートの開き姿勢を示す斜視図。
【図３】同実施形態に係るノートの開き姿勢を示す平面図。
【図４】同実施形態に係るノートを示す分解斜視図。
【図５】同実施形態に係るノートの他の使用態様を示す斜視図。
【図６】本発明の他の実施形態に係るノートの開き姿勢を示す平面図。
【図７】本発明のさらに他の実施形態に係るノートの開き姿勢を示す平面図。
【図８】本発明のさらに他の実施形態に係るノートを示す斜視図。
【図９】本発明のさらに他の実施形態に係るノートを示す斜視図。
【発明を実施するための形態】
【００１５】
本発明の一実施形態を、図１〜図５を参照しつつ以下に述べる。
【００１６】
本実施形態は、本発明を未使用の付箋Ｆ１、Ｆ２を保持した付箋保持部４を備えてなるノートＮに適用した場合のものである。このノートＮは、基本台紙１と、この基本台紙１の一辺１ａに綴じ元２ａを近接させて当該基本台紙１上に配され前記一辺１ａよりも外側に展開可能な複数枚の用紙２と、前記基本台紙１の前記一辺１ａに隣接する他辺１ｂに連設され前記用紙２上に重なり合う図１に示す閉じ姿勢（Ｃ）から前記他辺１ｂよりも外側に展開する図２及び図３に示す開き姿勢（Ｏ）との間で開閉可能な延出台紙３と、この延出台紙３に設けられその内面に未使用の付箋Ｆ１、Ｆ２が保持された付箋保持部４とを具備してなる。
【００１７】
前記基本台紙１は、図１、図２及び図５に示すように、用紙２の裏面を覆う裏表紙を兼ねている。具体的に説明すれば、この基本台紙１は、図１、図２、図４及び図５に示すように、厚紙により構成された平面視矩形状をなすものであり、図４に示すように、前記一辺１ａに沿って綴じ用リングを係合させるための複数のリング挿通孔１ｘが設けられている。
【００１８】
前記用紙２は、図２〜図５に示すように、前記基本台紙１と略同一の平面視形状をなす矩形状のものであり、その表面に付箋を貼り付けるべき領域Ａ１、Ａ２を示唆する罫線２ｂが印刷されている。この実施形態では、小型の付箋Ｆ１を貼り付けるための小領域Ａ１と、大型の付箋Ｆ２を貼り付けるための大領域Ａ２とを形成するための罫線２ｂが印刷されている。さらに、前記小領域Ａ１及び前記大領域Ａ２の内部には、これら小領域Ａ１及び大領域Ａ２をそれぞれ方眼状に区画する図示しない副罫線が設けられている。この副罫線は、前記小領域Ａ１及び前記大領域Ａ２を明示するための前記罫線２ｂと区別することができる線幅あるいは色彩をなしており、前記付箋Ｆ１、Ｆ２を貼り付ける際の位置合わせのためのガイドとして用いることができる。また、これら複数枚の用紙２は、図３に示すように、その綴じ元２ａ側に形成された綴じ穴２ｘに係合させた前記綴じ用リング９により綴じられている。すなわち、この綴じ用リング９は、複数枚の用紙２の綴じ孔２ｘと前記裏表紙１のリング挿通孔１ｘとに係合させてある。
【００１９】
前記延出台紙３は、前記基本台紙１である裏表紙の一辺１ｂに第１の折り線３ａを介して連続する背表紙６と、この背表紙６に第２の折り線３ｂを介して連続する表表紙７とを備えたものである。すなわち、前記延出台紙３の一部は、用紙の表面を覆う表表紙７を兼ねている。そして、この延出台紙３の前記表表紙７の内面には、未使用の付箋Ｆ１、Ｆ２が保持された前記付箋保持部４が設けられている。この付箋保持部４は、前記用紙２の罫線２ｂにより示唆された小領域Ａ１及び大領域Ａ２に対応した位置に、未使用の小型の付箋Ｆ１及び未使用の大型の付箋Ｆ２をそれぞれ複数枚重ね合わせた状態で保持したものである。前記表表紙７の中間位置には、前記第２の折り線３ｂと平行な第３の折り線３ｃが形成されており、これら第２及び第３の折り線３ｂ、３ｃの間に前記付箋保持部４が配されている。すなわち、前記付箋Ｆ１、Ｆ２は、前記第２の折り線３ｂに下縁を略合致させるとともに前記第３の折り線３ｃに上縁を略合致させて保持させることができるようにしてある。
【００２０】
このような構成のものであれば、図１のように表表紙７を用紙２上に重ね合わせることにより最もコンパクトな形態となる。そして、図２及び図３に示すように表表紙７及び背表紙６を図中上方（使用者から離れる側）に展開することにより最上の用紙２の表面が露出するとともに、表表紙７の内面の前記付箋保持部４に保持された付箋Ｆ１、Ｆ２が表出することになる。この開き姿勢（Ｏ）では、用紙２の展開方向と表表紙７の展開方向とが異なっており、相互に干渉することがなく、前記付箋保持部４に保持された付箋Ｆ１、Ｆ２は前記用紙の図中上方に露出した状態を保つ。そのため、必要な用紙２に必要な付箋Ｆ１、Ｆ２を貼り付けて所望の作業を行うことができる。前記表表紙７には第３の折り線３ｃが形成されているため、この第３の折り線３ｃを山折りして表表紙７を屈曲させることにより、図５に示すように、未使用の付箋Ｆ１、Ｆ２が起立した状態で保持されることになる。そのため、付箋保持部４に好みの姿勢をとらせて使用することができる。
【００２１】
なお、本発明は以上に述べた実施形態に限らない。
【００２２】
例えば、上述した実施形態では、延出台紙３すなわち表表紙７及び背表紙６を図２及び図３における上方（使用者から離れる側）に展開することにより最上の用紙２の表面が露出するようにしているが、図６に示すノートＮ２のように、延出台紙３すなわち表表紙７及び背表紙６を同図における下方（使用者に向かう側）に展開することにより最上の用紙２の表面及び表表紙７内面の付箋保持部４が露出するようにしてもよく、また、図７に示すノートＮ３のように、延出台紙３すなわち表表紙７及び背表紙６を用紙２の綴じ元２ａ側と反対側に展開することにより最上の用紙２の表面及び表表紙７内面の付箋保持部４が露出するようにしてもよい。
【００２３】
さらに、図８及び図９に示すような、基本台紙１と、この基本台紙１の一辺１ａに綴じ元２ａを近接させて当該基本台紙１上に配され前記一辺よりも外側に展開可能な複数枚の用紙２と、前記基本台紙１の前記一辺１ａに隣接する他辺１ｂに連設され前記用紙２上に重なり合う閉じ姿勢（Ｃ）から前記他辺１ｂよりも外側に展開する開き姿勢（Ｏ）との間で開閉可能な延出台紙３とを有するノートＮ４、Ｎ５においては、延出台紙３に、未使用の付箋が保持された付箋保持部以外の機能部を設けてもよい。このような機能部を有するノートの一例として、例えばスマートフォンＳＰ等の物品を立てかけておくための機能部である図８に示すようなスタンド８１を有するものや、各種情報等を使用者が記入し、又は予め各種情報等を印刷しておくための機能部である図９に示すような情報表示部８２を有するものが挙げられる。さらに、図示は省略するが、筆記用具を立てた状態で保持するための機能部であるペン立て部や、予め使用者によって記入された付箋等を貼付するための機能部である掲示部といった機能部を有するノートも挙げられる。
【００２４】
上述したようなノートＮ４、Ｎ５の構成によっても、表表紙７を用紙２上に重ね合わせることにより最もコンパクトな形態とすることができ、ノートＮ４、Ｎ５全体をかさ高いものとすることなくスタンド８１や情報表示部８２に代表される機能部を備えさせることができるとともに、このような機能部を有する延出台紙３を、前記基本台紙１の綴じ元側の辺１ａに隣接する他辺１ｂに連設しているので、ノートＮ４、Ｎ５の使用時にも機能部を常時露出させることができる。その上、機能部が物品を保持する機能を有する場合、用紙２をめくる作業の際に機能部に保持させた物品が手指に干渉するようなこともない。
【００２５】
以上に述べたノートＮ２〜Ｎ５における上述した以外の各部位は、図１〜図５を参照しつつ説明したノートＮにおけるものと同様の構成を有するので、同一の名称及び符号を付して詳細な説明は省略する。
【００２６】
また、用紙の裏面を覆う裏表紙と基本台紙とを別体に設けてもよく、用紙の表面を覆う表表紙を延出台紙と別体に設けてもよい。但し、上述した実施形態のように、基本台紙が用紙の裏面を覆う裏表紙を兼ねたものであり、前記延出台紙の全部または一部が用紙の表面を覆う表表紙を兼ねたものであれば、部品点数の増大を招くことなく、無駄なく機能的なノートを実現することができる。
【００２７】
さらに、用紙及び付箋保持部の構成はどのようなものであってもよい。但し、上述した実施形態のように、用紙が付箋を貼り付けるべき領域を示唆する罫線を有するものであり、前記付箋保持部が前記罫線により示唆された領域に対応した位置に未使用の付箋を保持したものであれば、付箋貼付後のイメージを想像して付箋に書き込み、付箋の貼付作業を効果的に行うことができるという効果が得られる。
【００２８】
そして、基本台紙の形状も、どのようなものであってもかまわない。但し、上述した実施形態のように、前記基本台紙及び前記用紙がともに略同一の平面視形状をなす矩形状でれば、ノートをかさ高くすることなく用紙の裏面側を保護しつつ、このようなノートの見栄えも整えることができる。
【００２９】
その他、本発明の趣旨を損ねない範囲で種々に変更してよい。
【符号の説明】
【００３０】
Ｎ〜Ｎ５…ノート
１…基本台紙
１ａ…基本台紙の一辺
１ｂ、１ｃ、１ｄ…基本台紙の他辺
２…用紙
２ｂ…罫線
３…延出台紙
３ａ、３ｂ…折り線
４…付箋保持部
７…表表紙
８１、８２…機能部
Ａ１、Ａ２…（罫線により示唆された）領域（小領域、大領域）
Ｆ１、Ｆ２…付箋
（Ｃ）…閉じ姿勢
（Ｏ）…開き姿勢
【図１】
2019089248.tif 000003
【図２】
2019089248.tif 000004
【図３】
2019089248.tif 000005
【図４】
2019089248.tif 000006
【図５】
2019089248.tif 000007
【図６】
2019089248.tif 000008
【図７】
2019089248.tif 000009
【図８】
2019089248.tif 000010
【図９】
2019089248.tif 000011